(57)【特許請求の範囲】
【請求項１】
リクレーマーのバケットの石炭山への切り込み量、旋回速度の一方または双方を山積み石炭の嵩比重に基づき調整することを特徴とする山積み石炭の揚炭方法。
【請求項２】
リクレーマーのバケットホイールの回転速度を山積み石炭の粒度に基づき調整することを特徴とする請求項１に記載の山積み石炭の揚炭方法。
【請求項３】
小嵩比重の石炭山にはバケットの切り込み量を深くするとともに旋回速度を低速に調整し、大嵩比重の石炭山にはバケットの切り込み量を浅くするとともに旋回速度を高速に調整することを特徴とする請求項１または請求項２に記載の山積み石炭の揚炭方法。
【発明の詳細な説明】
【０００１】
【発明の属する技術分野】
本発明方法は、山積み石炭の揚炭方法に関するものである。
【０００２】
【従来の技術】
山積み石炭の揚炭は、一般に図４に示すごとく、石炭山１の長手方向に沿って敷設したレール２上を移動するように設けたリクレーマー３の本体４に旋回可能にブーム５を設け、このブーム５の先端にバケットホイール６を回転可能に設けて、バケット７を石炭山１へ切り込み回転しつつ、石炭山１の巾方向に旋回させて、山積み石炭を所定位置へ揚炭するものである。このような石炭の揚炭においては、バケットホイール６を回転する駆動負荷電流と揚炭実績（メリック秤量値）は、リニアに比例することから揚炭量を上げようとすれば、駆動負荷電流を上げてバケットホイール６を高速することになる。このようなことからバケットホイール６を回転する駆動負荷電流を監視することにより、駆動負荷電流の過負荷電流を防止して揚炭の効率低下を回避することが特公平８−１８７００号公報に開示されている。
【０００３】
【発明が解決しようとする課題】
石炭の嵩比重は、産炭地（銘柄）によってバラツキ（石炭の粘結度の相違等）があり、石炭ヤードに陸揚げするとき下部から上部へ一定の層状に銘柄別に積み上げて山積み（石炭山）する。このような石炭山から揚炭するときは、順次上部から下部へ、石炭山巾方向へバケットホイールを回転、旋回しつつ揚炭して、各銘柄の石炭をほぼ均等にして揚炭するものである。従って、大嵩比重の石炭層にバケットホイールのバケットが位置したときは、駆動負荷電流は高負荷となり、大嵩比重の石炭層にバケットが位置したときは、駆動負荷電流は低負荷となることから上記のごとく、単にバケットホイールの駆動負荷電流の監視によって、バケットホイールの回転速度を制御しても揚炭効率を高めることはできないことになる等の課題がある。
本発明方法は、このような課題を有利に解決するためなされたものであり、山積み石炭の嵩比重に基づき、バケットの石炭山への切り込み量等を調整して、確実に揚炭能力を向上する山積み石炭の揚炭方法を提供することを目的とするものである。
【０００４】
【課題を解決するための手段】
本発明方法の特徴とするところは、リクレーマーのバケットの石炭山への切り込み量、旋回速度の一方または双方を山積み石炭の嵩比重に基づき調整することを特徴とする山積み石炭の揚炭方法である。
【０００５】
【発明の実施の形態】
前記ごとく、石炭山には嵩比重の異なった石炭が層状に山積みされていることから嵩比重に基づき、図２のように石炭山１へのバケットホイール６のバケット７切り込み量Ｌを調整する。また、図３のごとく石炭山１の巾方向へのバケットホイール６の旋回速度を調整するものである。このようなバケットホイール６の回転速度は、嵩比重の相違によって調整することなく同一速度でよいが、石炭の粒度によって調整することが好ましい。
【０００６】
しかして、小嵩比重の石炭へのバケットの切り込み量を深くすることによって、それだけ多量の石炭をバケット内へ入れることができ、しかも小嵩比重の石炭でありバケットホイールの回転にそれ程負荷をかけることなく、所定の回転速度を維持しつつ揚炭量を増加することができる。このときのバケットホイールの旋回速度は、低速にしてバケットホイールに多量に入った石炭が溢れるのを防止する。また、大嵩比重の石炭へのバケットの切り込み量は浅くし、大嵩比重によるバケットホイールの回転負荷を軽減し、回転速度が低下するのを防止して、所定の回転速度を維持し揚炭量の低下を最小限にする。このときのバケットホイールの旋回速度は、高速にしてバケットへの石炭の取込みを迅速にして、揚炭量を増加し大嵩比重石炭の揚炭量を低下させることなく揚炭することができるものである。このように石炭の嵩比重によって、バケットの石炭山への切り込み量と旋回速度を調整するものであるが、嵩比重の大小の度合いによっては、上記のごときバケットの切り込み量と旋回速度の一方を調整することによって確実に揚炭量を増加できる。
【０００７】
バケットホイールの回転速度は、石炭の粒度に応じて調整することが好ましく、石炭粒度が粗粒の場合には、回転速度を高速にして揚炭量を増加することができるが、石炭粒度が細粒になると低速にして回転による遠心力で石炭がバケットから離れ、掬い取り量が少量になり揚炭量が減少し好ましくない。従って、例えば石炭の嵩比重の変化においては、バケットホイールの回転速度を一定とし、上記のごとく石炭山へのバケットの切り込み量と旋回速度の一方または双方を調整し、石炭の粒度変化によってバケットホイールの回転速度を調整することにより、揚炭能力を飛躍的に増加することができる。
【０００８】
石炭の嵩比重と石炭山へのバケットの切り込み量及び旋回速度の関係、石炭粒度とバケットホイール回転速度の関係について一例を挙げる。
【表１】
0003590512.tif 000002
【０００９】
注１：バケットホイール直径４８０ｃｍ、バケット個数８個。
注２：バケット長さ７０ｃｍ、巾３０ｃｍ（一般に用いられている形状）。
【００１０】
しかして、例えばこのようなデータを計算器へ予め記憶しておき、石炭の嵩比重及び平均粒径を導入することによって、このデータに基づきバケットの石炭山への切り込み量及び旋回速度の一方または双方を調整し、またバケットホイールの回転速度を調整するものである。
【００１１】
【実施例】
次に、本発明方法の実施例を挙げる。
図１において、計算器８に予め石炭の嵩比重と石炭山へのバケット切り込み量、旋回速度及び石炭粒度とバケットホイール回転速度関係データを記憶しておき、この計算器８へ揚炭すべき石炭の嵩比重（銘柄）及び石炭粒度を導入して、バケットの切り込み量、バケットホイール旋回速度、バケットホイール回転速度を決定する。この結果を主管制御器９を介してリクレーマー制御装置１０へ指示し、該リクレーマー制御装置１０からリクレーマー走行駆動装置１１へ走行速度を指令して、バケットの石炭山への切り込み量、ブームの旋回駆動装置１２へ旋回速度を指令してバケット（バケットホイール）旋回速度の一方または双方を調整し、必要に応じてバケットホイール駆動装置１３へ回転速度を指令して石炭山の揚炭を行うものである。
【００１２】
【発明の効果】
本発明方法によれば、揚炭能力を飛躍的に向上することができる。また、既設のリクレーマーで揚炭能力を向上することができるので、リクレーマーの設備能力をハード的に増強することなく、揚炭能力を向上することができ、低コストで揚炭能力を向上することができる等に優れた効果が得られる。
【図面の簡単な説明】
【図１】本発明方法の実施例を示すフロー図である。
【図２】バケットの切り込み量を示す要部側面図である。
【図３】バケットホイールの旋回状況を示す斜視図である。
【図４】リクレーマーの揚炭状況を示す側面図である。
【図１】
0003590512.tif 000003
【図２】
0003590512.tif 000004
【図３】
0003590512.tif 000005
【図４】
0003590512.tif 000006